(57)【特許請求の範囲】
【請求項１】
円形や方形の沈澱池である処理池の上側には、処理池中心を通るようにして歩廊が渡架され、同歩廊における処理池中心に対応する位置には、池底で回転自在とされたレーキを駆動する駆動装置と回転軸とが設けられ、処理池内の中央には、上端部を水面に突き出し下部を水面以下に没した状態で丸胴形のセンターウエルが固定して設けられ、処理池の外周とセンターウエル間には、外部からの汚水をセンターウエル内に導入する汚水流入管が設けられる一方、センターウエルの外周に浮上する浮遊物は、周回運動するスクレーパで掻き寄せられるとともにスカム除去装置により外部に排除されるように構成された処理池において、前記センターウエル内の水面上には、円板型のフロートが水位追従可能に浮設されるとともに汚水流入管からは汚水供給管を通じて前記フロートへ向けて上昇流として汚水が流されるようになっていることを特徴とする処理池。
【発明の詳細な説明】
【０００１】
【発明の属する技術分野】
この発明は、円形や方形沈澱池である処理池に関する。
【０００２】
【従来の技術】
例えば、円形沈澱池においては、池中央に縦軸に備えた回転軸により池底のレーキを周回駆動自在にして、汚泥掻寄装置を構成してある。その一方で、水面には、スクレーパアームによりスクレーパを周回自在にして同スクレーパで掻き寄せられた浮遊物をスカム除去装置により外部に除去するように構成してある。こうした沈澱池においては、スクレーパに対し前記スカム除去装置が一定位置で対向状に待機しており、同除去装置をスクレーパが越えるようになっている。
【０００３】
【発明が解決しようとする課題】
ところで、前記スクレーパは、スクレーパアームである水平向きの旋回軸廻りに回転自在に吊持支持されて、スカム除去装置にさしかかると、スカム除去装置の上に配したガイドレールに沿って後向きに回避動作して進行し、同ガイドレールを越えると自然に垂れ下がるように復帰するようになっている。この方式によれば、スクレーパの内径側の部分が先にガイドレールに当たって乗り上がるため、その他の部分も実際にはガイドレールに乗っていないのに強制的に持ち上げられてここに無理な力が発生したり局所摩耗の原因になって、トラブルを発生していた。また、スクレーパの外径側が未だスカム除去装置のかなり手前であるにもかかわらず持ち上げられるとそれまで掻き寄せてきたスカムの掻寄が終わってしまい、スカム掻寄にばらつきが出ていた。
【０００４】
この発明は前記課題を解決するためになされたもので、水位の変動があっても常に導入されてくる汚水を緩衝しながら沈澱作用を促進できるようにした処理池を提供することを目的とする。
【０００５】
【課題を解決するための手段】
前記課題を解決するため、請求項１記載の発明は、円形や方形の沈澱池である処理池の上側には、処理池中心を通るようにして歩廊が渡架され、同歩廊における処理池中心に対応する位置には、池底で回転自在とされたレーキを駆動する駆動装置と回転軸とが設けられ、処理池内の中央には、上端部を水面に突き出し下部を水面以下に没した状態で丸胴形のセンターウエルが固定して設けられ、処理池の外周とセンターウエル間には、外部からの汚水をセンターウエル内に導入する汚水流入管が設けられる一方、センターウエルの外周に浮上する浮遊物は、周回運動するスクレーパで掻き寄せられるとともにスカム除去装置により外部に排除されるように構成された処理池において、前記センターウエル内の水面上には、円板型のフロートが水位追従可能に浮設されるとともに汚水流入管からは汚水供給管を通じて前記フロートへ向けて上昇流として汚水が流されるようになっていることを特徴とする。
【０００６】
【発明の実施の形態】
以下、図示した実施形態を参照してこの発明を詳細に説明する。
図１ないし図１０は、この発明の好適な一実施形態を示すもので、１は円形沈澱池である処理池である。同処理池１は、周壁２の内側に排水溝３を形成し、同排水溝３の内側に越流堰４が設けられているとともに、更に内側には、周方向に複数個のブラケット５を介してバッフル６が設けられている。そして、池中央には、センターウエル７が後述する方式で固定して設けられている。
【０００７】
処理池１の上側には歩廊９を備え、同歩廊９の長手方向中間には、池中央に縦軸状に設けた回転軸１０を駆動するための第１駆動装置（減速装置付き駆動源）１１が設置されている。
回転軸１０は、ピット１２内の軸受１３で支持されるとともにレーキ１４を回転駆動して沈澱してきた汚泥をピット１２内に落とし込んだあと図１の矢印のように外部に抜き去る。
【０００８】
一方、センターウエル７は、同センターウエル７の外部横サイドを通過するようにして処理池１内に横架されたＨ型チャンネル材などの固定梁１６にスペーサ１７を介して固定された汚水流入管１８により固定支持されている。汚水流入管１８は、汚水供給管１９を通じてセンターウエル７内に導入される。尚、仮想線で示すフロート２０はセンターウエル７内に浮上設置され、同フロート２０は、水位に追従しかつ下方から流れ来る汚水を緩衝して沈澱を促進する役目ももっている。このフロート２０は、その底面に半球あるいは円筒、各筒状等の凹みや凸部を備えて緩衝効果を高めるようにしてもよい。
【０００９】
２２はスカム除去装置で、処理池１のセンターウエル７に一端をまた他端をバッフル６手前にくるようにして固定して設置されている。同装置２２は、図４に横断面を示すように、帯板状をした底板部２３ａと、同底板部２３ａの後端から水面２４上にくるように立ち上がる背板部２３ｂおよび底板部２３ａの前端から水面２４以下にあるように立ち上がる前板部２３ｃとを備えたトラフ２３を有する。同トラフ２３は、一端が閉止板２５で閉ざされる一方、他端にはフランジ２６を備えたものになっている。
【００１０】
フランジ２６を介してスカムボックス２７が連設されるとともに、同ボックス２７に連通してスカム排出管２８が接続されている。こうしたトラフ２３は、スカムボックス２７の前後に備えたブラケット３０を介してバッフル６に固定される一方、他端は、前記固定梁１６上に載せ付けられて固定されている。
【００１１】
トラフ２３の前面には、両端に堰軸３２を介して堰３３が前後揺動可能に設けられ、同堰３３は、前部シールａにより前方からの水の浸入が阻止されるとともに、閉止板２５とフランジ２６の内面にそれぞれ固定された側部シールｂに側板ｃ，ｃが摺動することで側部からの水の浸入が阻止されるようになっている。堰３３は、くの字形をした堰基板３４と、その上端の堰本体３５とを備えるとともに、内面には補強部材３６が設けられている。
【００１２】
トラフ２３の内端側には、堰軸３２から伸びるレバー３８が設けられ、同レバー３８の先端にはカムローラー３９が遊転自在に設けられている。レバー３８はバネ（バネ圧調整自在）４０により引かれてストッパ４１で停止し、この状態で、堰３３は垂直になって堰止め状態になっている。また、トラフ２３の他端の堰軸３２に備えたウエイト４２は堰３３を前回転させるように付勢する。
【００１３】
一方、図１および図２に示すように、スクレーパアーム４５にはカム板４６が設けられて、図７および図８に示すように、同カム板４６により前記ローラー３９が蹴り下げられて堰３３をトラフ内に向けて回転させて図４の仮想線のように水面下に上端を押し下げるようにする。これにより、水面上の浮遊物が多少の水とともにトラフ２３内に流入する。カム板４６がローラー３９上を通過すると、ウエイト４２により堰３３が元の堰止め状態に戻される。
【００１４】
スクレーパアーム４５は、丸パイプでなり、同アーム４５の基部は、回転リング４８を備え、同リング４８が、回転軸１０の外周に軸受４９を介して回転自在になっている。５０は回転受盤である。スクレーパアーム４５の長手方向は、外径方向に伸び、同アーム４５の下側には、樹脂やゴム等の軟質板に縦スリットを備えた短冊状に形成したスクレーパ５１が垂れ下げられている。同スクレーパ５１は短冊状であることで、スカム除去装置２２上にくると個別的に自由に変形し得る。
【００１５】
スクレーパアーム４５の先端下部には、図９および図１０に示すように、リブ付きの取付板５３が固着され、同取付板５３の下部に、ブラケット５４を介して転動体５５が設けられている。同転動体５５は、小型駆動モーターとコロネット減速機とでなる駆動手段を内蔵するタイプのもので、同転動体５５は、外輪がウレタン等でなり、バッフル６上の転動面６ａに沿って転動自在になっている。
尚、図１０に仮想線で示すように、取付板５３（あるいはブラケット５４）から前後あるいはその一方に車輪受５７を張り出して、補助車輪５７，５７を付加してもよい。この補助車輪５７は、バネやゴム等で下向きに弾発し上方に逃げ得るように取り付けてもよい。また、同補助車輪５７は、転動面６ａ上を転動するもの以外に、バッフル６の上部Ｌ形部分の下面に当たるようにしてもよい。さらに、バッフル６に内外（一方でもよい）から当たるようなサイドローラーを備えてもよい。前記駆動モーターは、外装型のものにしてもよい。転動体５５は、スクレーパアーム４５の外周で同心状に回転するようにしてもよい。
【００１６】
尚、スクレーパ５１は、スカム除去装置２２の上を越えてそのまま同一方向に周回するようになっているが、堰３３が水面より下がった以後に同スクレーパ５１を持ち上げて逆向きに復帰回転するようにしてもよい。また、前記スクレーパ５１は、レーキ１４が数回転される間に１回転されるように構成されるか、レーキ１４の回転速度に対し数分の１の速度でもって回転するように構成される。スクレーパ５１は、レーキ１４が連続回転される間に間欠動作するようにしてもよい。
【００１７】
【発明の効果】
この発明は以上のように構成されているので、水位の変動があっても常に導入されてくる汚水を緩衝しながら沈澱作用を促進できるようにした処理池を提供することができるようになった。
【図面の簡単な説明】
【図１】この発明の一実施形態である円形沈澱池の縦断面図。
【図２】図１の実施形態の平面図。
【図３】図１のスカム除去装置の正面図。
【図４】同スカム除去装置の横断面図。
【図５】同スカム除去装置のセンターウエル側からみた側面図。
【図６】同スカム除去装置の池外からみた側面図。
【図７】同スカム除去装置のカムローラーとカム板との関係を示す側面図。
【図８】同カム板によりカムローラーが蹴り下げられた様子を示す側面図。
【図９】図１の転動部分の拡大図。
【図１０】図９の側面図。
【符号の説明】
１…処理池  １０…回転軸  ２２…スカム除去装置  ４５…スクレーパアーム
５１…スクレーパ。
【図１】
0004055195.tif 000002
【図２】
0004055195.tif 000003
【図３】
0004055195.tif 000004
【図４】
0004055195.tif 000005
【図５】
0004055195.tif 000006
【図６】
0004055195.tif 000007
【図７】
0004055195.tif 000008
【図８】
0004055195.tif 000009
【図９】
0004055195.tif 000010
【図１０】
0004055195.tif 000011